(57)【要約】【課題】  文字板の割れを防止すると共に、文字板の接着を不要にすることができる時計を提供する。【解決手段】  樹脂製のダイヤルリング２０が文字板２１を表面側から支持し、樹脂製の文字板受けリング２２が文字板２１を背面側から支持するようにした。また、文字板２１が文字板受けリング２２に嵌め込まれて保持されるようにした。【選択図】      図２
2005164262.tif 000002
【特許請求の範囲】
【請求項１】
脆性材料の文字板を有する時計において、
前記文字板を表面側から支持し、外部からの衝撃を吸収するダイヤルリングと、
前記文字板を背面側から支持し、外部からの衝撃を吸収する文字板受け部材と
を備えることを特徴とする時計。
【請求項２】
前記ダイヤルリング及び文字板受け部材は、樹脂製であることを特徴とする請求項１に記載の時計。
【請求項３】
前記文字板受け部材は、前記文字板が嵌る受け部を有することを特徴とする請求項１又は２に記載の時計。
【請求項４】
前記文字板受け部材は、前記受け部に嵌った文字板と係合する係合突起を有することを特徴とする請求項３に記載の時計。
【請求項５】
前記文字板は、円板の一部を切り欠いた形状、若しくは、円板の外周に凹凸を設けた形状に形成され、前記文字板受け部材の受け部に嵌め込まれることによって周方向の位置が位置決めされることを特徴とする請求項３又は４に記載の時計。
【請求項６】
太陽電池と、
この太陽電池を背面側から支持する部材であって、前記リング部材と積層して配置される太陽電池受け部材とを有し、
前記太陽電池受け部材、及び前記文字板受け部材の一方には、位置決め用突起を設け、他方には、前記位置決め用突起と係合する突起係合部を設けることを特徴とする請求項１乃至５のいずれかに記載の時計。
【発明の詳細な説明】
【技術分野】
【０００１】
本発明は、セラミックやガラス等の脆性材料で形成された文字板を有する時計に関する。
【背景技術】
【０００２】
従来より、太陽電池を内蔵する時計、電波時計および文字板全体を照明するＥＬバックライトを備えた時計においては、文字板に透光性等を持たせるため、文字板をセラミック、ガラス等で製作している。
これらセラミック、ガラス等の材料は脆性材料であり、この種の脆性材料で文字板を製作した場合、一般には、位置決めや上下の固定のために外周が入り組んだ形状を有する金属製のリングを作成し、文字板をこの金属製のリングに接着するようにしていた（例えば、特許文献１参照）。
【特許文献１】特開平１０−１６０８６１号公報
【発明の開示】
【発明が解決しようとする課題】
【０００３】
しかしながら、脆性材料の文字板を金属製のリングに接着した構成では、腕時計を誤って堅い地面にぶつけてしまった場合に、その衝撃が金属製のリングを介して文字板に伝達され、文字板が割れてしまうおそれがあった。また、文字板の接着工程においては高い位置決め精度が要求され、かつ、接着にミスがあるとやり直しが効かず不良品が発生してしまうという不具合があった。
本発明は、上述した事情に鑑みてなされたものであり、外部からの衝撃による文字板の割れを防止すると共に、文字板の接着を不要にすることができる時計を提供することを目的としている。
【課題を解決するための手段】
【０００４】
上述課題を解決するため、本発明は、脆性材料の文字板を有する時計において、前記文字板を表面側から支持し、外部からの衝撃を吸収するダイヤルリングと、前記文字板を背面側から支持し、外部からの衝撃を吸収する文字板受け部材とを備えることを特徴とする。この構成によれば、脆性材料の文字板を表面側から支持し、外部からの衝撃を吸収するダイヤルリングと、文字板を背面側から支持し、外部からの衝撃を吸収する文字板受け部材とを備えることにより、外部からの衝撃をダイヤルリングと文字板受け部材とで吸収することができ、文字板の割れを防止することができる。
【０００５】
上記構成においては、前記ダイヤルリング及び文字板受け部材が樹脂製であることが好ましい。また、前記文字板受け部材が前記文字板が嵌る受け部を有し、この受け部に嵌った文字板と係合する係合突起を有することが好ましい。また、文字板は、円板の一部を切り欠いた形状、若しくは、円板の外周に凹凸を設けた形状に形成され、前記文字板受け部材の受け部に嵌め込まれることによって周方向の位置が位置決めされることが好ましい。
【０００６】
また、上記構成においては、太陽電池と、この太陽電池を背面側から支持する部材であって、前記リング部材と積層して配置される太陽電池受け部材とを有し、前記太陽電池受け部材、及び前記文字板受け部材の一方には、位置決め用突起を設け、他方には、前記位置決め用突起と係合する突起係合部を設けることが好ましい。
【発明の効果】
【０００７】
本発明は、脆性材料の文字板を表面側から支持し、外部からの衝撃を吸収するダイヤルリングと、文字板を背面側から支持し、外部からの衝撃を吸収する文字板受け部材とを備えることにより、外部からの衝撃をダイヤルリングと文字板受け部材とで吸収でき、外部からの衝撃による文字板の割れを防止すると共に、文字板の接着を不要にすることができる。
【発明を実施するための最良の形態】
【０００８】
以下、図面を参照しつつ本発明の実施の形態について説明する。
図１は、本発明を太陽電池時計（ソーラ時計）に適用した場合の腕時計１の外観構成を示す図であり、図２は、この腕時計１の断面図である。
この腕時計１は、時刻表示を行う時計本体３と、この時計本体３に連結されたバンド５とから概略構成され、時計本体３は、図２に示すように、ステンレス、チタン等の金属製の時計ケース１１内に、文字板２１、太陽電池２３、ムーブメント２５等が配置されて構成される。なお、時計ケース１１は、金属製に限定されず、例えば樹脂製であってもよい。
【０００９】
バンド５は、ステンレス、チタン等の金属材料で形成された駒を多数連結して構成される。バンド５は、上バンド５Ａと、下バンド５Ｂとからなり、上バンド５Ａと下バンド５Ｂとは中留７で係止される。このバンド５は、金属材料で形成された駒を多数連結して構成されるものに限定されず、例えば、皮バンド、ウレタン・ゴム等のラバー系バンドであってもよい。
【００１０】
図３は、時計ケース１１内の部品構成を示す分解斜視図である。
図２及び図３に示すように、時計ケース１１は、風防ガラス１２と裏蓋１３とを備え、この風防ガラス１２と裏蓋１３との間に、ダイヤルリング（図２に格子斜線を付して示す）２０と、文字板２１と、文字板受けリング（図２に斜線を付して示す）２２と、太陽電池２３と、太陽電池受けリング２４と、ムーブメント２５とが順に配置される。
文字板２１は、太陽電池２３に光を導くため、セラミック、ガラス等の透光性を有する脆性材料で形成され、図３に示すように、外周の一部に直線状の切欠き２１Ａを有する略円板形状に形成されている。また、文字板２１には、貫通穴２１Ｂが中央に設けられると共に、カレンダー（年、月、日、曜日等）表示用の窓２１Ｃが設けられる。
【００１１】
ダイヤルリング２０は、文字板２１の周囲に表示する目盛り、文字、マーク等が印刷等される部材であり、本実施形態では、衝撃を吸収可能な材料、例えば、ポリカーボネイト、ＡＢＳ、ポリアセタール等のプラスチック材料、又はブチルゴム、シリコンゴム、ウレタン等のゴム材料を含む樹脂材料で形成されると共に、最内径が文字板２１の外径よりも小さい径に形成される。また、このダイヤルリング２０の外径は、このダイヤルリング２０等が挿入される時計ケース１１の挿入穴１１Ａ（図２参照）の内径と略同径に形成されている。このダイヤルリング２０は、時計ケース１１の上方に設けられた環状段部１１Ｂの下方に当接することにより、時計ケース１１の厚さ方向の位置が位置決めされる。
【００１２】
文字板受けリング（文字板受け部材）２２は、文字板２１を背面側から支持する受け部材である。図４は文字板受けリング２２を示す斜視図である。文字板受けリング２２は、衝撃を吸収可能な材料、例えば、ポリカーボネイト、ＡＢＳ、ポリアセタール等のプラスチック材料、又はブチルゴム、シリコンゴム、ウレタン等のゴム材料を含む樹脂材料で形成され、文字板２１の周縁部が嵌るリング形状の受け部３０と、この受け部３０に嵌った文字板２１と係合するフック部（係合突起）３１と、後述する位置決め用突起２６と係合する突起係合部３２とが一体的に形成される。
【００１３】
より具体的には、受け部３０は、外径が時計ケース１１の挿入穴１１Ａの内径と略同径に形成され、文字板２１の外周形状と略同一形状の内周面を有する穴３０Ａと、この穴３０Ａに嵌め込まれた文字板２１の裏面と当接する環状段部３０Ｂとを有する。このため、この受け部３０に文字板２１を嵌め込むには、文字板２１をその切欠き２１Ａが嵌り込むように穴３０Ａに挿入する必要があり、言い換えれば、受け部３０に文字板２１を嵌め込むことにより、文字板受けリング２２に対する文字板２１の周方向の位置が位置決めされる。また、文字板２１の裏面が環状段部３０Ｂに当接し、かつ、その状態でフック部３１により押さえられることによって、文字板２１が文字受けリング２２に強固に把持される。
ここで、脆性材料の文字板２１は割れやすいが、本実施形態では、この文字板受けリング２２に文字板２１を嵌め込む際は、樹脂製の文字板受けリング２２の方を変形させて文字板２１を嵌め込めばよいため、文字板２１を割ってしまうことなく容易に文字板受けリング２２に嵌め込むことが可能となっている。
【００１４】
この文字板受けリング２２において、突起係合部３２は、太陽電池受け部材２４に設けられた複数の位置決め用突起２６がそれぞれ挿通されることによって、文字板受けリング２２と太陽電池受け部材２４との相対位置を位置決めするものである。
【００１５】
太陽電池受けリング（太陽電池受け部材）２４は、太陽電池２３を背面側から支持する部材であり、プラスチック等の樹脂材料で形成される。この太陽電池受けリング２４には、文字板受けリング２２の突起係合部３２と係合する位置決め用突起２６が上面に一体的に形成されると共に、ムーブメント２５を保持するための引掛部２７（図２参照）が下面に一体的に形成されている。
【００１６】
ムーブメント２５は、太陽電池２３の発電電力によって、時針４１、分針４２及び秒針４３（図２参照）を駆動すると共にカレンダー（年、月、日、曜日等）を表示するための時計機構を内蔵しており、太陽電池受けリング２４の引掛部２７によって各針４１〜４３を駆動する軸４５が文字板２１等の中央の貫通穴２１Ｂを貫通する位置に保持される。図１に示すように、時計ケース１１には、リュウズ１１Ｃが取り付けられ、このリュウズ１１Ｃによって、時針４１及び分針４２の位置が調整されると共に、文字板２１の窓２１Ｃに表示されるカレンダーが調整される。
【００１７】
この腕時計１においては、文字板受けリング２２に文字板２１をセットし、太陽電池受けリング２４に太陽電池２３とムーブメント２５とをセットした後、この文字板受けリング２２の突起係合部３２に太陽電池受けリング２４の位置決め用突起２６を挿通させることにより、文字板受けリング２２、文字板２１、太陽電池受けリング２４及びムーブメント２５の周方向の相対位置が位置決めされる。そして、これら部品を時計ケース１１の裏側から、文字板２１がダイヤルリング２０に当接する位置まで挿入し、この状態で裏蓋１３を固定することによって、これら部品が時計ケース１１内に配置される。この場合、図２に示すように、樹脂製のダイヤルリング２０が文字板２１を表面側から支持し、樹脂製の文字板受けリング２２が文字板２１を背面側から支持し、言い換えれば、文字板２１は、樹脂製のダイヤルリング２０と樹脂製の文字板受けリング２２とによって挟持された状態で保持される。これにより、この腕時計１を誤って堅い地面等にぶつけてしまった場合でも、ダイヤルリング２０及び文字板受けリング２２の柔軟性により外部からの衝撃を吸収でき、文字板２１の割れを防止することができる。
【００１８】
以上説明したように、本実施形態では、樹脂製のダイヤルリング２０が文字板２１を表面側から支持し、樹脂製の文字板受けリング２２が文字板２１を背面側から支持することにより、腕時計１に外部から衝撃が加わっても、その衝撃をダイヤルリング２０及び文字板受けリング２２で吸収することができ、文字板２１の割れを防いで、耐衝撃性を向上することができる。
また、文字板２１は文字板受けリング２２に嵌め込まれた状態で保持されるので、文字板２１の位置決めを簡易に行うことができ、かつ、フック部３１により文字板２１が把持されるので、文字板２１を強固に保持することができ、これらにより、煩雑な接着作業を行わなくても、文字板２１を簡易かつ強固に適正位置に配置することが可能となる。なお、両面テープを用いて文字板２１を文字板受けリング２２に仮固定するようにしてもよい。
【００１９】
上述した実施形態は、あくまでも本発明の一態様を示すものであり、本発明の範囲内で任意に変形が可能である。以下、変形例について説明する。
上述した実施形態では、文字板２１を円板の一部を切り欠いた形状に形成し、この文字板２１を文字板受けリング２２に嵌め込むことによって、文字板２１の周方向の位置決めを行う場合について述べたが、文字板２１を、円板の外周に凹凸の設けた形状に形成すると共に、文字板受けリング２２を、この文字板２１が嵌る形状に形成しても、文字板２１の位置決めを簡易に行うことができる。また、文字板受けリング２２にフック部３１を設ける場合について述べたが、フック部３１を省略してもよい。但し、フック部３１を省略する場合は、文字板２１の外周と文字板受けリング２２の受け部３０との嵌め合いを、すきまばめではなく、中間ばめ或いはしまりばめにすることが好ましい。
【００２０】
また、ダイヤルリング２０に、文字板２１の外周と係合する係合部を設けるようにしてもよい。このような係合部を設けることによって、ダイヤルリング２０と文字板２１の周方向の相対位置を簡易に位置決めすることが可能となる。また、上述した実施形態では、太陽電池受けリング２４に位置決め用突起２６を設け、この位置決め用突起２６が係合する突起係合部３２を文字板受けリング２２に設ける場合について述べたが、文字板受けリング２２に位置決め用突起２６を設け、太陽電池受けリング２４に突起係合部３２を設けるようにしてもよい。
【００２１】
また、上述した実施形態では、ダイヤルリング２０及び文字板受けリング２２を樹脂材料で作成することによって、外部からの衝撃を吸収する場合について説明したが、樹脂材料に限らず、要は、外部からの衝撃を吸収可能な材料の範囲で様々な材料を広く適用することができる。また、上述した実施形態では、本発明をソーラ時計に適用する場合について例示したが、電波時計、ＥＬバックライトを備えた時計等、脆性材料の文字板を有する時計に広く適用することができる。
【図面の簡単な説明】
【００２２】
【図１】本発明を太陽電池時計（ソーラ時計）に適用した場合の腕時計の外観構成を示す図である。
【図２】腕時計の断面図である。
【図３】時計ケース内の部品構成を示す分解斜視図である。
【図４】文字板受けリングを示す斜視図である。
【符号の説明】
【００２３】
１…腕時計、３…時計本体、５…バンド、７…中留、１１…時計ケース、１２…風防ガラス、１３…裏蓋、２０…ダイヤルリング、２１…文字板、２２…文字板受けリング（文字板受け部材）、２３…太陽電池、２４…太陽電池受けリング（太陽電池受け部材）、２５…ムーブメント、３０…受け部、３１…フック部、３２…突起係合部。
【図１】
2005164262.tif 000003
【図２】
2005164262.tif 000004
【図３】
2005164262.tif 000005
【図４】
2005164262.tif 000006